(57)【要約】【課題】エレベータのかご室の側壁に設けられた操作盤において、かご室の積載スペースを狭めることなく、乗員の操作時に視認性および操作性の向上を図ることができるようにする。【解決手段】操作盤２０は、乗員が操作するボタン２２ａが設けられた操作面２２と、操作面２２の一辺と操作盤本体２４とを連結するヒンジ部２６と、ヒンジ部２６を中心にして操作面２２を、乗員が操作しやすい角度に回動させる回動部２８とを有する。この構成により、操作時において、操作面２２が非操作時の状態から乗員が操作しやすい角度まで回動するので、操作面２２の視認性および操作性の向上を図ることができる。【選択図】図４
2010143722.tif 000002
【特許請求の範囲】
【請求項１】
エレベータのかご室の側壁に設けられ、かご室の乗員により操作されてエレベータの昇降を制御するエレベータ用操作盤において、
乗員が操作するボタンが設けられた操作面と、
操作面の一辺と操作盤本体とを連結するヒンジ部と、
乗員が操作盤を操作する操作時に、ヒンジ部を中心にして操作面を、乗員が操作しやすい角度に回動させる回動部と、
を有することを特徴とするエレベータ用操作盤。
【請求項２】
請求項１に記載のエレベータ用操作盤において、
乗員が操作盤を操作する操作時に、回動部は、操作面が斜め上向きになるように操作面を回動させる、
ことを特徴とするエレベータ用操作盤。
【請求項３】
請求項２に記載のエレベータ用操作盤において、
乗員が操作盤を操作しない非操作時には、操作面が側壁に対して平行になるように設けられている、
ことを特徴とするエレベータ用操作盤。
【請求項４】
請求項２に記載のエレベータ用操作盤において、
乗員が操作盤を操作しない非操作時には、操作面が側壁の内部に向かって隠れるように設けられている、
ことを特徴とするエレベータ用操作盤。
【請求項５】
請求項１から４のいずれか１つに記載のエレベータ用操作盤において、
回動部は、乗員が操作盤を操作しない非操作時から操作する操作時の状態まで操作面を押圧する弾性部材を有する、
ことを特徴とするエレベータ用操作盤。
【請求項６】
請求項１から４のいずれか１つに記載のエレベータ用操作盤において、
回動部は、乗員が操作盤を操作しない非操作時から操作する操作時の状態まで操作面を駆動させるアクチュエータを有する、
ことを特徴とするエレベータ用操作盤。
【請求項７】
請求項１から６のいずれか１つに記載のエレベータ用操作盤において、
操作盤を操作しようとする乗員を検出する検出部を有し、
検出部の検出により、回動部が動作する、
ことを特徴とするエレベータ用操作盤。
【請求項８】
請求項７に記載のエレベータ用操作盤において、
検出部は、操作盤に設けられたボタンであり、
乗員がそのボタンを押すことにより、操作盤を操作しようとする乗員が検出される、
ことを特徴とするエレベータ用操作盤。
【請求項９】
請求項７に記載のエレベータ用操作盤において、
検出部は、操作盤の前に乗員がいる場合、その乗員が操作盤を操作しようとする人であることを検出する人感センサである、
ことを特徴とするエレベータ用操作盤。
【請求項１０】
請求項１から９のいずれか１つに記載のエレベータ用操作盤において、
エレベータ用操作盤は、かご室の袖壁に配置される主操作盤より低い位置に設けられている、
ことを特徴とするエレベータ用操作盤。
【発明の詳細な説明】
【技術分野】
【０００１】
本発明は、エレベータのかご室の側壁に設けられ、かご室の乗員により操作されてエレベータの昇降を制御するエレベータ用操作盤の改良に関する。
【背景技術】
【０００２】
エレベータは、複数階の建物に設置され、人荷を乗せて各階の間を昇降する装置である。このエレベータにおいては、通常、エレベータのかご室に乗った人（乗員）がかご室の壁面に設けられた操作盤によって昇降の操作をする。以下、従来の一般的なエレベータのかご室の構成を、図１を用いて説明する。
【０００３】
図１は、エレベータのかご室の構成を示す図である。乗員が乗るかご室１１０の内部は、側面の側壁１１２と、前面の袖壁１１４と、乗員が乗降する扉１１６とにより構成される。袖壁１１４には、エレベータを操作する操作盤１１８が設置されている。この構成において、乗員はまず扉１１６からかご室１１０に乗り込み、操作盤１１８の前に立ち、操作盤１１８の操作面に設けられたボタンを押し、目的の階および扉１１６の開閉を指示する。
【０００４】
次に、図１のエレベータの改良型について、図に従って説明する。図２は、エレベータのかご室の別の構成を示す図である。なお、図１のエレベータと同じ構成要素については同一の符号を付し、詳細な説明は省略する。
【０００５】
図２のエレベータのかご室１１０においては、側壁１１２に操作盤１２０が設けられている。この操作盤１２０は操作盤１１８と同様の機能を有するものである。このように、操作盤１２０を設けることにより、例えば病院に設置されるエレベータにおいて患者を乗せた寝台車をかご室１１０に搬入する際、看護師などの乗員はわざわざ袖壁１１４にある操作盤１１８の前に出なくてもよく、そばにある操作盤１２０を操作することができる。また、このようなエレベータにおいては、車椅子の乗員や子供に対しても操作性が良好である。すなわち、操作盤１１８が大人の身長に合わせて取り付けられているのに対し、操作盤１２０は操作盤１１８より低い位置に設けられているため、車椅子の乗員や子供でも無理なくボタン操作をすることができる。
【０００６】
下記特許文献１には、エレベータのかご室の側壁に沿って設けられたガイドレールと、ガイドレールにガイドされるワイヤー巻き取り装置と、ワイヤー巻き取り装置にワイヤーを介して吊り下げられる操作盤とを有するエレベータの可動操作盤が記載されている。この可動操作盤によれば、操作盤がガイドレールとワイヤー巻き取り装置とにより上下左右に移動可能であるので、乗員によるエレベータの操作を任意の位置で行うことができる。
【０００７】
【特許文献１】特開平７−２８５７４７号公報
【発明の開示】
【発明が解決しようとする課題】
【０００８】
従来のエレベータのかご室１１０の側壁１１２に設けられた操作盤１２０においては、図２に示されるように、操作盤１２０の操作面が側壁１１２に対して平行に、そして側壁１１２からわずかに突出して設けられている。このような構成で操作盤１２０が側壁１１２に設けられることにより、かご室１１０の乗員または積荷の積載スペースが操作盤１２０によりわずかに狭められる。また、乗員が操作盤１２０を操作する場合、操作盤１２０が操作盤１１８より低く設けられ、かつ操作盤１２０の操作面が側壁１１２に対して平行に設けられているため、操作盤１２０の操作面の視認性が悪く、かつ操作性が悪いという問題がある。
【０００９】
本発明の目的は、エレベータのかご室の側壁に設けられた操作盤であって、かご室の積載スペースを狭めることなく、乗員の操作時に視認性および操作性の向上を図ることができるエレベータ用操作盤を提供することにある。
【課題を解決するための手段】
【００１０】
本発明は、エレベータのかご室の側壁に設けられ、かご室の乗員により操作されてエレベータの昇降を制御するエレベータ用操作盤において、乗員が操作するボタンが設けられた操作面と、操作面の一辺と操作盤本体とを連結するヒンジ部と、乗員が操作盤を操作する操作時に、ヒンジ部を中心にして操作面を、乗員が操作しやすい角度に回動させる回動部と、を有することを特徴とする。
【００１１】
また、乗員が操作盤を操作する操作時に、回動部は、操作面が斜め上向きになるように操作面を回動させるができる。
【００１２】
また、乗員が操作盤を操作しない非操作時には、操作面が側壁に対して平行になるように設けられていることが好適である。
【００１３】
また、乗員が操作盤を操作しない非操作時には、操作面が側壁の内部に向かって隠れるように設けられていることが好適である。
【００１４】
また、回動部は、乗員が操作盤を操作しない非操作時から操作する操作時の状態まで操作面を押圧する弾性部材を有するが好適である。
【００１５】
また、回動部は、乗員が操作盤を操作しない非操作時から操作する操作時の状態まで操作面を駆動させるアクチュエータを有することが好適である。
【００１６】
また、操作盤を操作しようとする乗員を検出する検出部を有し、検出部の検出により、回動部が動作することができる。
【００１７】
また、検出部は、操作盤に設けられたボタンであり、乗員がそのボタンを押すことにより、操作盤を操作しようとする乗員が検出されることが好適である。
【００１８】
また、検出部は、操作盤の前に乗員がいる場合、その乗員が操作盤を操作しようとする人であることを検出する人感センサであることが好適である。
【００１９】
さらに、エレベータ用操作盤は、かご室の袖壁に配置される主操作盤より低い位置に設けられていることが好適である。
【発明の効果】
【００２０】
本発明の、エレベータのかご室の側壁に設けられたエレベータ用操作盤によれば、かご室の積載スペースを狭めることなく、乗員の操作時に視認性および操作性の向上を図ることができる。
【発明を実施するための最良の形態】
【００２１】
以下、本発明に係るエレベータ用操作盤の実施形態について、図に従って説明する。図３は、本実施形態のエレベータのかご室の構成を示す図である。
【００２２】
乗員が乗るかご室１０の内部は、側面の側壁１２と、前面の袖壁１４と、乗員が乗降する扉１６とにより構成される。袖壁１４には、エレベータを操作する主操作盤１８が設置されている。また、側壁１２には、主操作盤１８より低い位置に、主操作盤１８と同様の機能を有する副操作盤２０が設置されている。この副操作盤２０は、本発明に係るエレベータ用操作盤に対応する装置であり、これを以降、単に操作盤２０と記す。
【００２３】
操作盤２０は、乗員が操作するボタン２２ａを配置した操作面２２を有する。操作面２２は、乗員が操作盤２０を操作しないとき、すなわち非操作時には、側壁１２に対して平行であり、側壁１２の一部を構成する状態になっている。つまり、操作面２２は、側壁１２から突出しておらず、側壁１２により規定される面に含まれるように設けられている。非操作時に、このような構成で操作盤２０が側壁１２に設けられることにより、かご室１０の乗員または積荷の積載スペースが操作盤２０により狭められることを防いでいる。
【００２４】
操作盤２０の具体的な構成について、図４を用いて説明する。図４(ａ)は、非操作時の操作盤２０の構成を示す図であり、図４（ｂ）は、乗員が操作盤２０を操作するとき、すなわち操作時の操作盤２０の構成を示す図である。操作盤２０は、側壁１２に埋め込まれた操作盤本体２４を有する。操作盤本体２４には、電気回路（図示せず）が設けられている。
【００２５】
本発明に係る操作盤２０は、操作面２２の一辺と操作盤本体２４とを連結するヒンジ部２６と、操作時にヒンジ部２６を中心にして操作面２２を、乗員が操作しやすい角度に回動させる回動部２８とを有することを特徴とする。この構成により、操作時に、操作面２２が、乗員が操作しやすい角度に設定されるので、乗員に対する視認性と操作性の向上を図ることができる。乗員が操作しやすい角度とは、操作面２２が斜め上向きになる角度である。操作面２２がこの角度に設定されることにより、乗員が操作面２２を正面から目視するために屈む手間を省くことができる。
【００２６】
ヒンジ部２６は、操作盤２０の上部に設けられ、操作面２２の上辺と操作盤本体２４の上部とを連結する。
【００２７】
回動部２８は、非操作時から操作時の状態まで操作面２２を駆動させるアクチュエータ３０を有する。アクチュエータ３０は、軸３０ａを介して操作面２２に接続されている。アクチュエータ３０は、例えばソレノイドである。
【００２８】
また、本発明に係る操作盤２０は、操作盤２０を操作しようとする乗員を検出する検出部３２を有し、検出部３２の検出により、回動部２８が動作するように構成される。検出部３２は、操作盤２０に設けられたボタンであり、乗員がそのボタンを押すことにより、操作盤２０を操作しようとする乗員が検出される。
【００２９】
次に、操作盤２０の動作について説明する。図４（ａ）に示されるように、非操作時においては、操作面２２は、側壁１２から突出しておらず、側壁１２により規定される面に含まれている。乗員が扉１６からかご室１０に乗り込み、操作盤２０の前に立ち、操作面２２に設けられたボタンである検出部３２を押すことにより、操作盤２０を操作しようとする乗員が検出される。そして、検出部３２の検出により、回動部２８が動作する。すなわち、アクチュエータ３０の駆動により軸３０ａが延び、図４（ｂ）に示されるように、操作面２２はヒンジ部２６を中心にして、乗員が操作しやすい角度まで回動する。そして、乗員は操作面２２に設けられたボタン２２ａを押し、目的の階および扉１１６の開閉を指示する。
【００３０】
このように構成される操作盤２０によれば、非操作時においては、操作面２２は側壁１２から突出していないので、かご室１０の積載スペースを狭めることはない。また、このように構成される操作盤２０によれば、操作時においては、操作面２２が非操作時の状態から乗員が操作しやすい角度まで回動するので、操作面２２の視認性および操作性の向上を図ることができる。
【００３１】
次に別の態様の操作盤２０について図を用いて説明する。図５は、別の態様のエレベータのかご室１０の構成を示す図である。図６（ａ）は、非操作時の操作盤２０の構成を示す図であり、図６（ｂ）は、操作時の操作盤２０の構成を示す図である。なお、図３，４のかご室１０および操作盤２０と同じ構成要素については同一の符号を付し、詳細な説明は省略する。
【００３２】
ヒンジ部２６は、操作盤２０の下部に設けられ、操作面２２の下辺と操作盤本体２４の下部とを連結する。
【００３３】
この操作盤２０においては、非操作時、操作面２２が側壁１２の内部に向かって隠れるように設けられている。言い換えれば、操作面２２が操作盤本体２４の内部に対向するように設けられている。そして、操作面２２の裏側の面（以下、裏面という）３４が側壁１２の一部を構成する状態になっている。裏面３４には、検出部３２が設けられている。
【００３４】
乗員が操作盤２０の前に立ち、裏面３４に設けられたボタンである検出部３２を押すことにより、操作盤２０を操作しようとする乗員が検出される。そして、検出部３２の検出により、回動部２８が動作する。すなわち、アクチュエータ３０の駆動により軸３０ａが延び、図６（ｂ）に示されるように、操作面２２はヒンジ部２６を中心にして、乗員が操作しやすい角度まで回動する。そして、乗員は操作面２２に設けられたボタン２２ａを押し、目的の階および扉１６の開閉を指示する。
【００３５】
このように構成される操作盤２０によれば、非操作時においては、操作面２２はかご室１０に露出していないので、誤ってボタン２２ａを押してしまうことによる誤動作を防ぐことができる。また、非操作時には、裏面３４は側壁１２から突出していないので、かご室１０の積載スペースを狭めることはない。また、このように構成される操作盤２０によれば、上述した実施形態のように、操作時において、操作面２２が非操作時の状態から乗員が操作しやすい角度まで回動するので、操作面２２の視認性および操作性の向上を図ることができる。
【００３６】
上述した２つの実施形態においては、検出部３２が操作面２２または裏面３４に設けられたボタンである場合について説明したが、この構成に限定されない。検出部３２は、操作盤２０の前に乗員がいる場合、その乗員が操作盤２０を操作しようとする人であることを検出する人感センサとすることができる。このセンサは、例えば赤外線センサであり、操作盤本体２４の内部に設けることができる。
【００３７】
また、上述した２つの実施形態には、回動部２８がアクチュエータ３０を有し、このアクチュエータ３０が操作面２２を駆動させる場合について説明したが、この構成に限定されない。回動部２８は、非操作時から操作時の状態まで操作面２２を押圧する弾性部材を有することも好適である。検出部３２の検出により、非操作時の状態に保持された操作面２２が解除される。そうすると、弾性部材が操作面２２を付勢することで、ヒンジ部２６を中心にして操作面２２を、乗員が操作しやすい角度まで回動させることができる。ここで、操作面２２は、非操作時、例えば磁石を介して操作盤本体２４に保持される構造とすることができる。この構造によれば、検出部３２の検出で磁石の磁力を無くすことにより、弾性部材により操作面２２が回動することができる。磁石は、自在に磁力を発生及び消去可能な電磁石であってもよい。また、磁石として永久磁石を用い、操作面２２が押圧されることで保持力がなくなるプッシュ開放式扉の構造を採用してもよい。
【図面の簡単な説明】
【００３８】
【図１】従来のエレベータのかご室の構成を示す図である。
【図２】従来のエレベータのかご室の別の構成を示す図である。
【図３】本実施形態のエレベータのかご室の構成を示す図である。
【図４】（ａ）は、非操作時の操作盤の構成を示す図であり、（ｂ）は、操作時の操作盤の構成を示す図である。
【図５】別の態様のエレベータのかご室の構成を示す図である。
【図６】（ａ）は、非操作時の操作盤の構成を示す図であり、（ｂ）は、操作時の操作盤の構成を示す図である。
【符号の説明】
【００３９】
１０  かご室、１２  側壁、１４  袖壁、１６  扉、１８  主操作盤、２０  操作盤、２２  操作面、２４  操作盤本体、２６  ヒンジ部、２８  回動部、３０  アクチュエータ、３２  検出部、３４  裏面。
【図１】
2010143722.tif 000003
【図２】
2010143722.tif 000004
【図３】
2010143722.tif 000005
【図４】
2010143722.tif 000006
【図５】
2010143722.tif 000007
【図６】
2010143722.tif 000008